(57)【要約】【課題】回路基板等の部品に制約されることなく、電池のサイズを大きくすることができる携帯端末を提供することを目的とする。【解決手段】携帯電話機１は、表側に表示用凹部３を有する表側キャビネット４と、表側キャビネット４に取り付けられた裏側キャビネット６と、表側キャビネット４と一体的に形成され、表示用凹部３のの裏側に配置された電池収容部１０を有する金属板１３と、表示用凹部３に嵌め込まれた表示パネル２と、金属板１３の裏側に配置され、裏側キャビネット６に収容された回路基板５と、電池収容部１０に収容され、表示パネル２と金属板１３との間に配置された電池２０とを備えている。【選択図】図２
2014017715.tif 000002
【特許請求の範囲】
【請求項１】
表側に表示用凹部を有する表側キャビネットと、
前記表側キャビネットに取り付けられた裏側キャビネットと、
前記表側キャビネットと一体的に形成され、前記表示用凹部の裏側に配置された電池収容部を有する金属板と、
前記表示用凹部に嵌め込まれた表示パネルと、
前記金属板の裏側に配置され、前記裏側キャビネットに収容された回路基板と、
前記電池収容部に収容され、前記表示パネルと前記金属板との間に配置された電池と
を備えることを特徴とする携帯端末。
【請求項２】
前記電池収容部の表側表面に接着剤層が設けられ、前記電池は、前記接着剤層により前記金属板に貼り付けられていることを特徴とする請求項１に記載の携帯端末。
【請求項３】
前記接着剤層が両面テープであることを特徴とする請求項２に記載の携帯端末。
【請求項４】
表側に表示用凹部を有する表側キャビネットと、
前記表側キャビネットに取り付けられた裏側キャビネットと、
前記表側キャビネットと一体的に形成された金属板と、
前記表示用凹部に嵌め込まれた表示パネルと、
前記金属板の裏側に配置され、前記裏側キャビネットに収容された回路基板と
を備え、
前記金属板には、前記表示用凹部の裏側に配置された電池用凹部が形成され、
前記電池は、前記電池用凹部に嵌め込まれるとともに、前記表示パネルと前記金属板との間に配置されていることを特徴とする携帯端末。
【請求項５】
前記電池用凹部の表側表面に接着剤層が設けられ、前記電池は、前記接着剤層により前記金属板に貼り付けられていることを特徴とする請求項４に記載の携帯端末。
【請求項６】
前記接着剤層が両面テープであることを特徴とする請求項５に記載の携帯端末。
【請求項７】
前記表示パネルが、液晶表示パネルまたは有機ＥＬ表示パネルであることを特徴とする請求項１〜請求項６のいずれか１項に記載の携帯端末。
【請求項８】
前記保護パネルが、タッチパネルであることを特徴とする請求項１〜請求項７のいずれか１項に記載の携帯端末。
【発明の詳細な説明】
【技術分野】
【０００１】
本発明は、携帯端末に関し、特に、大型の電池を備える携帯端末に関するものである。
【背景技術】
【０００２】
従来、携帯電話機に代表される携帯端末は、軽量化の観点から、ポリカーボネート樹脂等の樹脂により形成されたキャビネットが使用されているため、例えば、誤って、携帯端末を落下させた場合に、キャビネットが破損しやすいという問題があった。
【０００３】
そこで、携帯端末の剛性を向上させるべく、キャビネットと一体的に形成された金属板を備えた携帯端末が提案されている。
【０００４】
より具体的には、例えば、携帯端末の剛性を向上するための金属板を備えた表側キャビネットと、回路基板及び電池が収容され、表側キャビネットに接合される裏側キャビネットとを備えた携帯電話機が開示されている。そして、この携帯端末では、表側キャビネットの金属板と裏側キャビネットの間に、回路基板と電池が配置される構成となっている（例えば、特許文献１参照）。
【先行技術文献】
【特許文献】
【０００５】
【特許文献１】特開２０１２−７５１５４号公報
【発明の概要】
【発明が解決しようとする課題】
【０００６】
ここで、近年、携帯端末においては高速処理化が要求されており、この高速処理化に伴い、電力の消費量が増加しているため、大型の電池（即ち、大容量の電池）を搭載する必要がある。
【０００７】
しかし、上記特許文献１に記載の携帯端末においては、上述のごとく、表側キャビネットの金属板と裏側キャビネットの間に、回路基板と電池が配置されているため、搭載する電池のサイズに制約が生じて、大型の電池を収容することができず、結果として、高速処理化に対応することができないという問題があった。
【０００８】
そこで、本発明は、上述の問題に鑑みてなされたものであり、回路基板等の部品に制約されることなく、電池のサイズを大きくすることができる携帯端末を提供することを目的とする。
【課題を解決するための手段】
【０００９】
上記目的を達成するために、本発明の第１の携帯端末は、表側に表示用凹部を有する表側キャビネットと、表側キャビネットに取り付けられた裏側キャビネットと、表側キャビネットと一体的に形成され、表示用凹部の裏側に配置された電池収容部を有する金属板と、表示用凹部に嵌め込まれた表示パネルと、金属板の裏側に配置され、裏側キャビネットに収容された回路基板と、電池収容部に収容され、表示パネルと金属板との間に配置された電池とを備えることを特徴とする。
【００１０】
同構成によれば、上記従来技術とは異なり、金属板の裏側に配置され、裏側キャビネットに収容された回路基板とは異なる空間に電池が配置されるため、回路基板に起因して電池のサイズに制約が生じることがなくなり、大型の電池を収容することが可能になる。その結果、高速処理化に対応することができる携帯端末を提供することが可能になる。
【００１１】
本発明の第１の携帯端末においては、電池収容部の表側表面に接着剤層が設けられ、電池は、接着剤層により金属板に貼り付けられていてもよい。
【００１２】
同構成によれば、簡単な構成により、電池収容部に電池を設けることが可能になる。
【００１３】
本発明の第１の携帯端末においては、電池収容部の表側表面に設けられた接着剤層が両面テープであってもよい。
【００１４】
本発明の第２の携帯端末は、表側に表示用凹部を有する表側キャビネットと、表側キャビネットに取り付けられた裏側キャビネットと、表側キャビネットと一体的に形成された金属板と、表示用凹部に嵌め込まれた表示パネルと、金属板の裏側に配置され、裏側キャビネットに収容された回路基板とを備え、金属板には、表示用凹部の裏側に配置された電池用凹部が形成され、電池は、電池用凹部に嵌め込まれるとともに、表示パネルと金属板との間に配置されていることを特徴とする。
【００１５】
同構成によれば、上記従来技術とは異なり、金属板の裏側に配置され、裏側キャビネットに収容された回路基板とは異なる空間に電池が配置されるため、回路基板に起因して電池のサイズに制約が生じることがなくなり、大型の電池を収容することが可能になる。その結果、高速処理化に対応することができる携帯端末を提供することが可能になる。
【００１６】
また、電池用凹部に嵌め込まれた電池の周囲を金属板により囲むことができるため、電池に対する外部からの衝撃を抑制して、電池の変形を抑制することが可能になる。
【００１７】
本発明の携帯端末においては、電池用凹部の表側表面に接着剤層が設けられ、電池は、接着剤層により金属板に貼り付けられていてもよい。
【００１８】
同構成によれば、簡単な構成により、電池用凹部に電池を設けることが可能になる。
【００１９】
本発明の携帯端末においては、電池用凹部の表側表面に設けられた接着剤層が両面テープであってもよい。
【００２０】
また、本発明の携帯端末においては、大型の電池を収容することにより、高速処理化に対応することができる携帯端末を提供することができるという優れた特性を備えている。従って、本発明は、表示パネルが、液晶表示パネルまたは有機ＥＬ表示パネルである携帯端末や、保護パネルが、タッチパネルである携帯端末に好適に使用できる。
【発明の効果】
【００２１】
本発明によれば、大型の電池を収容して、高速処理化に対応することができる携帯端末を提供することができる。
【図面の簡単な説明】
【００２２】
【図１】本発明の第１の実施形態に係る携帯電話機の平面図である。
【図２】図１のＡ−Ａ断面図である。
【図３】本発明の第１の実施形態に係る携帯電話機における電池の配置を説明するための分解斜視図である。
【図４】本発明の第１の実施形態に係る携帯電話機において使用される表示パネルを説明するための断面図である。
【図５】本発明の第２の実施形態に係る携帯電話機の平面図である。
【図６】図５のＢ−Ｂ断面図である。
【図７】本発明の第２の実施形態に係る携帯電話機における電池の配置を説明するための分解斜視図である。
【図８】本発明の変形例に係る携帯電話機の断面図である。
【発明を実施するための形態】
【００２３】
以下、本発明の実施形態を図面に基づいて詳細に説明する。尚、本発明は、以下の実施形態に限定されるものではない。
【００２４】
（第１の実施形態）
図１は、本発明の第１の実施形態に係る携帯電話機の平面図であり、図２は、図１のＡ−Ａ断面図である。また、図３は、本発明の第１の実施形態に係る携帯電話機における電池の配置を説明するための分解斜視図であり、図４は、本発明の第１の実施形態に係る携帯電話機において使用される表示パネルを説明するための断面図である。
【００２５】
本実施形態の携帯電話機１は、タッチパネル付携帯端末であり、図１、図２に示すように、表示パネル２と、表示パネル２の表側（図２に示す矢印Ｘ側であって、携帯電話機１の表示側）に、表示パネル２を収容するための表示用凹部３を有する表側キャビネット４と、矩形板状の電池２０と、矩形板状の回路基板５と、この回路基板５を収容する矩形皿状の裏側キャビネット６とを備えている。
【００２６】
また、図１、図２に示すように、携帯電話機１は、例えば、複数の画素等で構成される表示領域Ｄと、表示領域Ｄの周辺に設けられた額縁領域Ｆとを備えている。
【００２７】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００２８】
また、本実施形態においては、図２に示すように、表側キャビネット４と裏側キャビネット６には、額縁領域Ｆにおいて、互いに嵌合するように凹凸が形成されており、表側キャビネット４と裏側キャビネット６とが嵌合した状態で、ネジ等を使用して締結することにより、表側キャビネット４に裏側キャビネット６が取り付けられる構成となっている。
【００２９】
また、本実施形態においては、図２に示すように、回路基板５を収容する裏側キャビネット６を覆うカバー２１が設けられている。
【００３０】
表側キャビネット４、裏側キャビネット６、及びカバー２１は、例えば、ポリカーボネート樹脂、ＡＢＳ樹脂、ポリアミド樹脂等の樹脂や、これらの樹脂とガラスフィラーの混合物により形成されている。
【００３１】
また、表側キャビネット４は、表側キャビネット４を形成する樹脂と一体的に形成された金属板１３を備えている。この金属板１３は、携帯電話機１の剛性を向上させるためのものである。
【００３２】
なお、この金属板１３は、安価かつ汎用性のある材料により、携帯電話機１の剛性を向上させるとの観点から、例えば、ステンレス（例えば、ＳＵＳ３０４）、アルミニウム、及びマグネシウム等の金属により形成されており、これらの金属のうち、耐久性及び強度が高いステンレスを使用することが好ましい。
【００３３】
また、本実施形態においては、図２に示すように、回路基板５は、金属板１３の裏側（図２に示す矢印Ｙ側であって、携帯電話機１の表示側と反対側）に配置されている。
【００３４】
この回路基板５は、図３に示すように、基板５ａと、この基板５ａに取り付けられた複数の回路部品５ｂとにより構成されている。
【００３５】
また、本実施形態における表示パネル２としては、例えば、液晶表示パネルや有機ＥＬ表示パネル等を使用することができる。
【００３６】
表示パネル２として、液晶表示パネルを使用する場合は、例えば、図４に示すように、ＴＦＴ基板２２と、ＴＦＴ基板２２に対向して配置されたＣＦ基板２３と、ＴＦＴ基板２２及びＣＦ基板２３の間に挟持して設けられた表示媒体層である液晶層２４と、ＴＦＴ基板２２とＣＦ基板２３との間に狭持され、ＴＦＴ基板２２及びＣＦ基板２３を互いに接着するとともに液晶層２４を封入するために枠状に設けられたシール材２５とを備えたものが使用できる。
【００３７】
このシール材２５は、液晶層２４を周回するように形成されており、ＴＦＴ基板２２とＣＦ基板２３は、このシール材２５を介して相互に貼り合わされている。
【００３８】
ここで、本実施形態においては、図２、図３に示すように、金属板１３が、表示用凹部３の裏側に配置された電池収容部１０を有するとともに、電池２０が電池収容部１０に収容され、表示パネル２と金属板１３との間に電池２０が配置されている点に特徴がある。
【００３９】
このような構成により、上記従来技術とは異なり、金属板１３の裏側に配置され、裏側キャビネット６に収容された回路基板５とは異なる空間（即ち、電池収容部１０）に電池２０が配置されるため、回路基板５に起因して電池２０のサイズに制約が生じることがなくなり、大型の電池２０を収容することが可能になる。その結果、高速処理化に対応することができる携帯電話機１を提供することが可能になる。
【００４０】
なお、電池収容部１０の表側表面（即ち、図３に示す矢印Ｘ側の表面であって、携帯電話機１の表示側の表面）１０ａには、接着剤層である両面テープ３０が設けられており、電池２０は、この両面テープ３０により、金属板１３に貼り付けられている。
【００４１】
次に、携帯電話機１の組み立て手順の一例について簡単に説明する。
【００４２】
まず、金属板１３が有する電池収容部１０の表側表面１０ａに両面テープ３０を設け、この両面テープ３０を介して、金属板１３に電池２０を貼り付けて、電池収容部１０に電池２０を収容する。
【００４３】
次いで、表側キャビネット４の表示用凹部３に、電池２０を表側から覆うように表示パネル２を嵌め込み、表示パネル２と金属板１３との間に電池２０を配置する。
【００４４】
次いで、表側キャビネット４に形成されたタッチパネル用凹部７に、両面テープ９を設け、この両面テープ９を介して、表側キャビネット４にタッチパネル８を貼り付けて、タッチパネル用凹部７に、表示パネル２を表側から覆うようにタッチパネル８を設ける。
【００４５】
次いで、上述の凹凸により、表側キャビネット４と裏側キャビネット６とを嵌合し、表側キャビネット４と裏側キャビネット６とが嵌合した状態で、ネジ等を使用して締結することにより、表側キャビネット４に裏側キャビネット６を取り付ける。この際、裏側キャビネット６に収容された回路基板５は、金属板１３の裏側に配置される。
【００４６】
そして、裏側キャビネット６に、回路基板５を収容する裏側キャビネット６を覆うカバー２１を取り付けることにより、図２に示す携帯電話機１が製造される。
【００４７】
（第２の実施形態）
次に、本発明の第２の実施形態について説明する。図５は、本発明の第２の実施形態に係る携帯電話機の平面図であり、図６は、図５のＢ−Ｂ断面図である。また、図７は、本発明の第２の実施形態に係る携帯電話機における電池の配置を説明するための分解斜視図である。
【００４８】
なお、本実施形態においては、上記第１の実施形態と同様の構成部分については同一の符号を付してその説明を省略する。
【００４９】
本実施形態の携帯電話機３５においては、上述の電池収容部１０の代わりに、金属板１３に電池用凹部３３が形成されており、当該電池用凹部３３に電池２０が嵌め込まれて、表示パネル２と金属板１３との間に電池２０が配置されている点に特徴がある。
【００５０】
このような構成により、上述の第１の実施形態において説明した効果に加えて、以下の効果を得ることができる。
【００５１】
即ち、電池用凹部３３に嵌め込まれた電池２０の周囲を金属板１３により囲むことができるため、電池２０に対する外部からの衝撃を抑制して、電池２０の変形を抑制することが可能になる。
【００５２】
また、金属板１３を設けることによって、大型の電池２０を搭載することにより大型化した携帯電話機３５の剛性を向上させることができる。
【００５３】
携帯電話機３５を組み立てる際には、まず、金属板１３に形成された電池用凹部３３に電池２０を嵌め込み、電池用凹部３３に電池２０を設ける。
【００５４】
次いで、表示用凹部３に、電池用凹部３３に設けられた電池２０を表側から覆うように表示パネル２を嵌め込み、表示パネル２と金属板１３との間に電池２０を配置する。
【００５５】
次いで、上述の第１の実施形態の場合と同様にして、表側キャビネット４に、回路基板５を収容する裏側キャビネット６を取り付け、この裏側キャビネット６を覆うカバー２１を取り付けることにより、図６に示す携帯電話機３５が製造される。
【００５６】
なお、上記実施形態は以下のように変更しても良い。
【００５７】
図８に示すように、上記第２の実施形態において、電池用凹部３３の表側表面（即ち、図８に示す矢印Ｘ側の表面であって、携帯電話機３５の表示側の表面）３３ａに、接着剤層である両面テープ３４を設け、電池２０を、この両面テープ３４により、金属板１３に貼り付ける構成としてもよい。
【００５８】
また、上記実施形態においては、保護パネルとしてタッチパネル８を例に挙げて説明したが、このタッチパネルの代わりに、ガラスや透明な樹脂により形成された保護パネルを使用する構成としてもよい。
【００５９】
また、上記実施形態においては、携帯電話機を例に挙げて説明したが、本発明は、これに限定されず、例えば、ＰＨＳ（Personal Handy-phone System）、ＰＤＡ（Personal Digital Assistant）、パソコン、モバイルツール、電子辞書、ゲーム機等の表示パネルを有するものに適用することができる。
【産業上の利用可能性】
【００６０】
以上説明したように、本発明は、大型の電池と搭載した携帯端末に、特に有用である。
【符号の説明】
【００６１】
１    携帯電話機（携帯端末）
２    表示パネル 
３    表示用凹部  
４    表側キャビネット 
５    回路基板 
５ａ    基板
５ｂ    回路部品
６    裏側キャビネット 
７    タッチパネル用凹部 
８    タッチパネル（保護パネル） 
１０    電池収容部
１０ａ    電池収容部の表側表面
１３    金属板
２０    電池
２１    カバー
２２    ＴＦＴ基板 
２３    ＣＦ基板 
２４    液晶層 
２５    シール材 
３０    両面テープ（接着剤層）
３３    電池用凹部
３４    両面テープ（接着剤層）
３５    携帯電話機
【図１】
2014017715.tif 000003
【図２】
2014017715.tif 000004
【図３】
2014017715.tif 000005
【図４】
2014017715.tif 000006
【図５】
2014017715.tif 000007
【図６】
2014017715.tif 000008
【図７】
2014017715.tif 000009
【図８】
2014017715.tif 000010